【手続補正書】
【提出日】平成25年11月1日(2013.11.1)
【手続補正１】
【補正対象書類名】特許請求の範囲
【補正対象項目名】全文
【補正方法】変更
【補正の内容】
【特許請求の範囲】
【請求項１】
無線通信システムにおける端末のスリープサイクル設定を交渉するための送信機の動作方法であって、
スリープサイクル設定情報を含むＤＳｘ要請メッセージを受信機に送信する過程と、
前記受信機から、前記要請メッセージに対応するＤＳｘ応答メッセージを受信する過程とを含み、
ここで、前記ＤＳｘは、ＤＳＡ（Ｄｙｎａｍｉｃ  Ｓｅｒｖｉｃｅ  Ａｄｄｉｔｉｏｎ）、ＤＳＣ（Ｄｙｎａｍｉｃ  Ｓｅｒｖｉｃｅ  Ｃｈａｎｇｅ）、ＤＳＤ（Ｄｙｎａｍｉｃ  Ｓｅｒｖｉｃｅ  Ｄｅｌｅｔｉｏｎ）のうちのいずれか一つであることを特徴とする方法。
【請求項２】
前記送信機が端末で、前記受信機が基地局である場合、
前記ＤＳｘ要請メッセージ内のスリープサイクル設定情報は、スリープサイクル設定変更又はスリープサイクル設定スイッチングであるかを指示する動作要請タイプ、スリープサイクル設定情報を識別するためのスリープサイクル識別子、新しいスリープサイクル設定の開始を指示する開始フレーム番号、前記スリープサイクル設定情報内に新しい初期スリープサイクルが存在しているかを指示するための次のスリープサイクルフラグ（ＮＳＣＦ）、新しい初期スリープサイクル、初期スリープサイクルのために割り当てられた区間を指示する初期スリープサイクル、最後のスリープサイクルのために割り当てられた区間を指示する最後のスリープサイクルのうち、少なくとも一つを含み、
前記ＤＳｘ応答メッセージ内のスリープサイクル設定情報は、スリープサイクル設定変更又はスリープサイクル設定スイッチングであるかを指示する動作要請タイプ、スリープサイクル設定情報を識別するためのスリープサイクル識別子、新しいスリープサイクル設定の開始を指示する開始フレーム番号、前記スリープサイクル設定情報内に新しい初期スリープサイクルが存在しているかを指示するための次のスリープサイクルフラグ（ＮＳＣＦ）、新しい初期スリープサイクル、初期スリープサイクルのために割り当てられた区間を指示する初期スリープサイクル、最後のスリープサイクルのために割り当てられた区間を指示する最後のスリープサイクル、スリープ要請（ＳＬＰ−ＲＥＱ）メッセージを使用してスリープサイクル設定情報の変更を再要請するための待機時間情報（ＲＥＱ＿ｄｕｒａｔｉｏｎ）のうち、少なくとも一つを含み、
前記ＤＳｘ応答メッセージの応答タイプは、ＤＳｘ要請メッセージに対する肯定応答又はＤＳｘ要請メッセージに対する不正応答のうち、いずれか一つに設定されることを特徴とする請求項１に記載の方法。
【請求項３】
前記送信機が端末で、前記受信機が基地局である場合、
前記受信機がスリープサイクル設定変更に対して許容を決定した場合、前記ＤＳｘ応答メッセージは、ＤＳｘ要請メッセージに対する肯定応答と送信機のＤＳｘ要請メッセージ内のスリープサイクル設定情報に比べて変更が要求されるスリープサイクル設定情報のうち、少なくとも一つを含むことを特徴とする請求項１に記載の方法。
【請求項４】
前記送信機が端末で、前記受信機が基地局である場合、
前記受信機がスリープサイクル設定変更に対して拒絶を決定した場合、前記ＤＳｘ応答メッセージは、ＤＳｘ要請メッセージに対する不正応答とスリープサイクル設定情報の変更を再要請するための待機時間情報（ＲＥＱ＿ｄｕｒａｔｉｏｎ）のうち、少なくとも一つを含むか、又はスリープサイクル設定情報を省略することを特徴とする請求項１に記載の方法。
【請求項５】
前記ＤＳｘ応答メッセージがＤＳｘ要請メッセージに対する不正応答を含む場合、前記スリープサイクル設定情報の変更を再要請するためのスリープ要請メッセージを受信機に送信する過程をさらに含むことを特徴とする請求項４に記載の方法。
【請求項６】
前記送信機が基地局で、前記受信機が端末である場合、
前記ＤＳｘ要請メッセージ内のスリープサイクル設定情報は、スリープサイクル設定変更又はスリープサイクル設定スイッチングであるかを指示する動作要請タイプ、スリープサイクル設定情報を識別するためのスリープサイクル識別子、新しいスリープサイクル設定の開始を指示する開始フレーム番号、前記スリープサイクル設定情報内に新しい初期スリープサイクルが存在しているかを指示するための次のスリープサイクルフラグ（ＮＳＣＦ）、新しい初期スリープサイクル、初期スリープサイクルのために割り当てられた区間を指示する初期スリープサイクル、最後のスリープサイクルのために割り当てられた区間を指示する最後のスリープサイクルのうち、少なくとも一つを含み、
前記スリープサイクルは前記ＮＳＣＦが"０”に設定される時、前記初期スリープサイクルにリセットされ、前記ＮＳＣＦが"１”に設定される時、前記新しい初期スリープサイクルにリセットされ、
前記ＤＳｘ応答メッセージの応答タイプは、一方的な方法で、基地局による要請に設定されることを特徴とする請求項１に記載の方法。
【請求項７】
無線通信システムにおける端末のスリープサイクル設定を交渉するための受信機の動作方法であって、
送信機からスリープサイクル設定情報を含むＤＳｘ要請メッセージを受信する過程と、
前記ＤＳｘ要請メッセージを介して変更が要求されるスリープサイクル設定を確認する過程と、
前記ＤＳｘ要請メッセージに対応するＤＳｘ応答メッセージを送信する過程とを含み、
ここで、前記ＤＳｘは、ＤＳＡ（Ｄｙｎａｍｉｃ  Ｓｅｒｖｉｃｅ  Ａｄｄｉｔｉｏｎ）、ＤＳＣ（Ｄｙｎａｍｉｃ  Ｓｅｒｖｉｃｅ  Ｃｈａｎｇｅ）、ＤＳＤ（Ｄｙｎａｍｉｃ  Ｓｅｒｖｉｃｅ  Ｄｅｌｅｔｉｏｎ）のうちのいずれか一つであることを特徴とする方法。
【請求項８】
前記送信機が端末で、前記受信機が基地局である場合、
前記ＤＳｘ要請メッセージ内のスリープサイクル設定情報は、スリープサイクル設定変更又はスリープサイクル設定スイッチングであるかを指示する動作要請タイプ、スリープサイクル設定情報を識別するためのスリープサイクル識別子、新しいスリープサイクル設定の開始を指示する開始フレーム番号、前記スリープサイクル設定情報内に新しい初期スリープサイクルが存在しているかを指示するための次のスリープサイクルフラグ（ＮＳＣＦ）、新しい初期スリープサイクル、初期スリープサイクルのために割り当てられた区間を指示する初期スリープサイクル、最後のスリープサイクルのために割り当てられた区間を指示する最後のスリープサイクルのうち、少なくとも一つを含み、
前記ＤＳｘ応答メッセージ内のスリープサイクル設定情報は、スリープサイクル設定変更又はスリープサイクル設定スイッチングであるかを指示する動作要請タイプ、スリープサイクル設定情報を識別するためのスリープサイクル識別子、新しいスリープサイクル設定の開始を指示する開始フレーム番号、前記スリープサイクル設定情報内に新しい初期スリープサイクルが存在しているかを指示するための次のスリープサイクルフラグ（ＮＳＣＦ）、新しい初期スリープサイクル、初期スリープサイクルのために割り当てられた区間を指示する初期スリープサイクル、最後のスリープサイクルのために割り当てられた区間を指示する最後のスリープサイクル、スリープ要請（ＳＬＰ−ＲＥＱ）メッセージを使用してスリープサイクル設定情報の変更を再要請するための待機時間情報（ＲＥＱ＿ｄｕｒａｔｉｏｎ）のうち、少なくとも一つを含み、
前記ＤＳｘ応答メッセージの応答タイプは、ＤＳｘ要請メッセージに対する肯定応答又はＤＳｘ要請メッセージに対する不正応答のうち、いずれか一つに設定されることを特徴とする請求項７に記載の方法。
【請求項９】
前記送信機が端末で、前記受信機が基地局である場合、
スリープサイクル設定変更に対して許容有無を決定する過程をさらに含み、
ここで、スリープサイクル設定変更に対して許容を決定した場合、前記ＤＳｘ応答メッセージは、ＤＳｘ要請メッセージに対する肯定応答と送信機のＤＳｘ要請メッセージ内のスリープサイクル設定情報に比べて変更が要求されるスリープサイクル設定情報のうち、少なくとも一つを含むことを特徴とする請求項７に記載の方法。
【請求項１０】
前記送信機が端末で、前記受信機が基地局である場合、
スリープサイクル設定変更に対して許容有無を決定する過程をさらに含み、
ここで、スリープサイクル設定変更に対して拒絶を決定した場合、前記ＤＳｘ応答メッセージは、ＤＳｘ要請メッセージに対する不正応答とスリープサイクル設定情報の変更を再要請するための待機時間情報（ＲＥＱ＿ｄｕｒａｔｉｏｎ）のうち、少なくとも一つを含むか、又はスリープサイクル設定情報を省略することを特徴とする請求項７に記載の方法。
【請求項１１】
前記ＤＳｘ応答メッセージがＤＳｘ要請メッセージに対する不正応答を含む場合、前記スリープサイクル設定情報を無視し、前記送信機から前記スリープサイクル設定情報の変更を再要請するためのスリープ要請メッセージを受信する過程をさらに含むことを特徴とする請求項１０に記載の方法。
【請求項１２】
前記送信機が基地局で、前記受信機が端末である場合、
前記ＤＳｘ要請メッセージ内のスリープサイクル設定情報は、スリープサイクル設定変更又はスリープサイクル設定スイッチングであるかを指示する動作要請タイプ、スリープサイクル設定情報を識別するためのスリープサイクル識別子、新しいスリープサイクル設定の開始を指示する開始フレーム番号、前記スリープサイクル設定情報内に新しい初期スリープサイクルが存在しているかを指示するための次のスリープサイクルフラグ（ＮＳＣＦ）、新しい初期スリープサイクル、初期スリープサイクルのために割り当てられた区間を指示する初期スリープサイクル、最後のスリープサイクルのために割り当てられた区間を指示する最後のスリープサイクルのうち、少なくとも一つを含み、
前記スリープサイクルは前記ＮＳＣＦが"０”に設定される時、前記初期スリープサイクルにリセットされ、前記ＮＳＣＦが"１”に設定される時、前記新しい初期スリープサイクルにリセットされ、
前記ＤＳｘ応答メッセージの応答タイプは、一方的な方法で、基地局による要請に設定されることを特徴とする請求項７に記載の方法。
【請求項１３】
無線通信システムにおける端末のスリープサイクル設定を交渉するための送信機の装置であって、
スリープサイクル設定情報を含むＤＳｘ要請メッセージを受信機に送信する送信モデムと、
前記ＤＳｘ要請メッセージに対応するＤＳｘ応答メッセージを受信する受信モデムとを備え、
ここで、前記ＤＳｘは、ＤＳＡ（Ｄｙｎａｍｉｃ  Ｓｅｒｖｉｃｅ  Ａｄｄｉｔｉｏｎ）、ＤＳＣ（Ｄｙｎａｍｉｃ  Ｓｅｒｖｉｃｅ  Ｃｈａｎｇｅ）、ＤＳＤ（Ｄｙｎａｍｉｃ  Ｓｅｒｖｉｃｅ  Ｄｅｌｅｔｉｏｎ）のうちのいずれか一つであることを特徴とする装置。
【請求項１４】
前記送信機が端末で、前記受信機が基地局である場合、
前記ＤＳｘ要請メッセージ内のスリープサイクル設定情報は、スリープサイクル設定変更又はスリープサイクル設定スイッチングであるかを指示する動作要請タイプ、スリープサイクル設定情報を識別するためのスリープサイクル識別子、新しいスリープサイクル設定の開始を指示する開始フレーム番号、前記スリープサイクル設定情報内に新しい初期スリープサイクルが存在しているかを指示するための次のスリープサイクルフラグ（ＮＳＣＦ）、新しい初期スリープサイクル、初期スリープサイクルのために割り当てられた区間を指示する初期スリープサイクル、最後のスリープサイクルのために割り当てられた区間を指示する最後のスリープサイクルのうち、少なくとも一つを含み、
前記ＤＳｘ応答メッセージ内のスリープサイクル設定情報は、スリープサイクル設定変更又はスリープサイクル設定スイッチングであるかを指示する動作要請タイプ、スリープサイクル設定情報を識別するためのスリープサイクル識別子、新しいスリープサイクル設定の開始を指示する開始フレーム番号、前記スリープサイクル設定情報内に新しい初期スリープサイクルが存在しているかを指示するための次のスリープサイクルフラグ（ＮＳＣＦ）、新しい初期スリープサイクル、初期スリープサイクルのために割り当てられた区間を指示する初期スリープサイクル、最後のスリープサイクルのために割り当てられた区間を指示する最後のスリープサイクル、スリープ要請（ＳＬＰ−ＲＥＱ）メッセージを使用してスリープサイクル設定情報の変更を再要請するための待機時間情報（ＲＥＱ＿ｄｕｒａｔｉｏｎ）のうち、少なくとも一つを含み、
前記ＤＳｘ応答メッセージの応答タイプは、ＤＳｘ要請メッセージに対する肯定応答又はＤＳｘ要請メッセージに対する不正応答のうち、いずれか一つに設定されることを特徴とする請求項１３に記載の装置。
【請求項１５】
前記送信機が端末で、前記受信機が基地局である場合、
前記受信機がスリープサイクル設定変更に対して許容を決定した場合、前記ＤＳｘ応答メッセージは、ＤＳｘ要請メッセージに対する肯定応答と送信機のＤＳｘ要請メッセージ内のスリープサイクル設定情報に比べて変更が要求されるスリープサイクル設定情報のうち、少なくとも一つを含むことを特徴とする請求項１３に記載の装置。
【請求項１６】
前記送信機が端末で、前記受信機が基地局である場合、
前記受信機がスリープサイクル設定変更に対して拒絶を決定した場合、前記ＤＳｘ応答メッセージは、ＤＳｘ要請メッセージに対する不正応答とスリープサイクル設定情報の変更を再要請するための待機時間情報（ＲＥＱ＿ｄｕｒａｔｉｏｎ）のうち、少なくとも一つを含み、スリープサイクル設定情報を省略することを特徴とする請求項１３に記載の装置。
【請求項１７】
前記送信モデムは、前記ＤＳｘ応答メッセージがＤＳｘ要請メッセージに対する不正応答を含む場合、前記スリープサイクル設定情報の変更を再要請するためのスリープ要請メッセージを受信機に送信することを特徴とする請求項１６に記載の装置。
【請求項１８】
前記送信機が基地局で、前記受信機が端末である場合、
前記ＤＳｘ要請メッセージ内のスリープサイクル設定情報は、スリープサイクル設定変更又はスリープサイクル設定スイッチングであるかを指示する動作要請タイプ、スリープサイクル設定情報を識別するためのスリープサイクル識別子、新しいスリープサイクル設定の開始を指示する開始フレーム番号、前記スリープサイクル設定情報内に新しい初期スリープサイクルが存在しているかを指示するための次のスリープサイクルフラグ（ＮＳＣＦ）、新しい初期スリープサイクル、初期スリープサイクルのために割り当てられた区間を指示する初期スリープサイクル、最後のスリープサイクルのために割り当てられた区間を指示する最後のスリープサイクルのうち、少なくとも一つを含み、
前記スリープサイクルは前記ＮＳＣＦが"０”に設定される時、前記初期スリープサイクルにリセットされ、前記ＮＳＣＦが"１”に設定される時、前記新しい初期スリープサイクルにリセットされ、
前記ＤＳｘ応答メッセージの応答タイプは、一方的な方法で、基地局による要請に設定されることを特徴とする請求項１３に記載の装置。
【請求項１９】
無線通信システムにおける端末のスリープサイクル設定を交渉するための受信機の装置であって、
送信機からスリープサイクル設定情報を含むＤＳｘ要請メッセージを受信する受信モデムと、
前記ＤＳｘ要請メッセージを介して変更が要求されるスリープサイクル設定を確認するサービスフロー管理部と、
前記ＤＳｘ要請メッセージに対応するＤＳｘ応答メッセージを送信する送信モデムを含み、
ここで、前記ＤＳｘは、ＤＳＡ（Ｄｙｎａｍｉｃ  Ｓｅｒｖｉｃｅ  Ａｄｄｉｔｉｏｎ）、ＤＳＣ（Ｄｙｎａｍｉｃ  Ｓｅｒｖｉｃｅ  Ｃｈａｎｇｅ）、ＤＳＤ（Ｄｙｎａｍｉｃ  Ｓｅｒｖｉｃｅ  Ｄｅｌｅｔｉｏｎ）のうちのいずれか一つであることを特徴とする装置。
【請求項２０】
前記送信機が端末で、前記受信機が基地局である場合、
前記ＤＳｘ要請メッセージ内のスリープサイクル設定情報は、スリープサイクル設定変更又はスリープサイクル設定スイッチングであるかを指示する動作要請タイプ、スリープサイクル設定情報を識別するためのスリープサイクル識別子、新しいスリープサイクル設定の開始を指示する開始フレーム番号、前記スリープサイクル設定情報内に新しい初期スリープサイクルが存在しているかを指示するための次のスリープサイクルフラグ（ＮＳＣＦ）、新しい初期スリープサイクル、初期スリープサイクルのために割り当てられた区間を指示する初期スリープサイクル、最後のスリープサイクルのために割り当てられた区間を指示する最後のスリープサイクルのうち、少なくとも一つを含み、
前記ＤＳｘ応答メッセージ内のスリープサイクル設定情報は、スリープサイクル設定変更又はスリープサイクル設定スイッチングであるかを指示する動作要請タイプ、スリープサイクル設定情報を識別するためのスリープサイクル識別子、新しいスリープサイクル設定の開始を指示する開始フレーム番号、前記スリープサイクル設定情報内に新しい初期スリープサイクルが存在しているかを指示するための次のスリープサイクルフラグ（ＮＳＣＦ）、新しい初期スリープサイクル、初期スリープサイクルのために割り当てられた区間を指示する初期スリープサイクル、最後のスリープサイクルのために割り当てられた区間を指示する最後のスリープサイクル、スリープ要請（ＳＬＰ−ＲＥＱ）メッセージを使用してスリープサイクル設定情報の変更を再要請するための待機時間情報（ＲＥＱ＿ｄｕｒａｔｉｏｎ）のうち、少なくとも一つを含み、
前記ＤＳｘ応答メッセージの応答タイプは、ＤＳｘ要請メッセージに対する肯定応答又はＤＳｘ要請メッセージに対する不正応答のうち、いずれか一つに設定されることを特徴とする請求項１９に記載の装置。
【請求項２１】
前記送信機が端末で、前記受信機が基地局である場合、
前記サービスフロー管理部は、スリープサイクル設定変更に対して許容有無を決定し、
ここで、スリープサイクル設定変更に対して許容を決定した場合、前記ＤＳｘ応答メッセージは、ＤＳｘ要請メッセージに対する肯定応答と送信機のＤＳｘ要請メッセージ内のスリープサイクル設定情報に比べて変更が要求されるスリープサイクル設定情報のうち、少なくとも一つを含むことを特徴とする請求項１９に記載の装置。
【請求項２２】
前記送信機が端末で、前記受信機が基地局である場合、
前記サービスフロー管理部は、スリープサイクル設定変更に対して許容有無を決定し、
ここで、スリープサイクル設定変更に対して拒絶を決定した場合、前記ＤＳｘ応答メッセージは、ＤＳｘ要請メッセージに対する不正応答とスリープサイクル設定情報の変更を再要請するための待機時間情報（ＲＥＱ＿ｄｕｒａｔｉｏｎ）のうち、少なくとも一つを含むか、又はスリープサイクル設定情報を省略することを特徴とする請求項１９に記載の装置。
【請求項２３】
前記受信モデムは、前記ＤＳｘ応答メッセージがＤＳｘ要請メッセージに対する不正応答を含む場合、前記スリープサイクル設定情報を無視し、前記送信機から前記スリープサイクル設定情報の変更を再要請するためのスリープ要請メッセージを受信することを特徴とする請求項２２に記載の装置。
【請求項２４】
前記送信機が基地局で、前記受信機が端末である場合、
前記ＤＳｘ要請メッセージ内のスリープサイクル設定情報は、スリープサイクル設定変更又はスリープサイクル設定スイッチングであるかを指示する動作要請タイプ、スリープサイクル設定情報を識別するためのスリープサイクル識別子、新しいスリープサイクル設定の開始を指示する開始フレーム番号、前記スリープサイクル設定情報内に新しい初期スリープサイクルが存在しているかを指示するための次のスリープサイクルフラグ（ＮＳＣＦ）、新しい初期スリープサイクル、初期スリープサイクルのために割り当てられた区間を指示する初期スリープサイクル、最後のスリープサイクルのために割り当てられた区間を指示する最後のスリープサイクルのうち、少なくとも一つを含み、
前記スリープサイクルは前記ＮＳＣＦが"０”に設定される時、前記初期スリープサイクルにリセットされ、前記ＮＳＣＦが"１”に設定される時、前記新しい初期スリープサイクルにリセットされ、
前記ＤＳｘ応答メッセージの応答タイプは、一方的な方法で、基地局による要請に設定されることを特徴とする請求項１９に記載の装置。